(57)【要約】【課題】  複数の拠点間でテレビ会議を行う場合に、各拠点に設置される主端末装置に、動画撮影機能が搭載されていない場合であっても、テレビ会議を容易に実現可能なテレビ会議システムを提供する。【解決手段】  テレビ会議システム（１）は、それぞれ表示部（１１）を備え、互いに通信可能に接続される複数の主端末装置（１０）と、カメラ（２４）を備え、いずれか１つの主端末装置（１０）と通信可能に接続されて、カメラ（２４）によって撮影された動画の動画信号を該主端末装置（１０）へ送信する携帯端末装置（２０）とを含み、携帯端末装置（２０）が接続された主端末装置（１０）は、該携帯端末装置（２０）から動画信号を受信すると、該動画信号を他の主端末装置（１０）へ送信し、各主端末装置（１０）は、自装置と異なる主端末装置（１０）から動画信号を受信すると、その動画信号に基づく動画を、自装置の表示部（１１）に表示させる。【選択図】      図１
2014135617.tif 000002
【特許請求の範囲】
【請求項１】
それぞれ画像を表示可能な表示部を備え、通信ネットワークを介して互いに通信可能に接続される複数の表示装置と、
動画撮影可能な撮影装置を備え、前記複数の表示装置のうちのいずれか１つの表示装置と通信可能に接続されて、前記撮影装置によって撮影された動画の動画信号を該表示装置へ送信する会議用携帯端末装置とを含み、
前記会議用携帯端末装置が接続された表示装置は、該会議用携帯端末装置から動画信号を受信すると、受信した動画信号を、通信ネットワークを介して他の表示装置へ送信し、
各表示装置は、自装置と異なる表示装置から送信された動画信号を受信すると、その動画信号に基づく動画を、自装置の表示部に表示させることを特徴とするテレビ会議システム。
【請求項２】
前記会議用携帯端末装置が接続された表示装置は、自装置と異なる表示装置から送信された動画信号を受信すると、該動画信号に基づく動画を自装置の表示部に表示させることに代えて、該動画信号を該会議用携帯端末装置へ送信し、
前記会議用携帯端末装置は、画像を表示可能な表示部をさらに備え、表示装置から動画信号を受信すると、その動画信号に基づく動画を、該表示部に表示させることを特徴とする請求項１に記載のテレビ会議システム。
【請求項３】
前記複数の表示装置は、スピーカをそれぞれ備え、
前記会議用携帯端末装置は、マイクロホンをさらに備え、該マイクロホンによって取得された音声信号を、通信可能に接続された表示装置へ送信し、
前記会議用携帯端末装置が接続された表示装置は、該会議用携帯端末装置から音声信号を受信すると、受信した音声信号を、通信ネットワークを介して他の表示装置へ送信し、
各表示装置は、自装置と異なる表示装置から送信された音声信号を受信すると、その音声信号に基づく音を、自装置のスピーカから出力させることを特徴とする請求項１または２に記載のテレビ会議システム。
【請求項４】
前記会議用携帯端末装置が接続された表示装置は、自装置と異なる表示装置から送信された音声信号を受信すると、該音声信号に基づく音を自装置のスピーカから出力させることに代えて、該音声信号を該会議用携帯端末装置へ送信し、
前記会議用携帯端末装置は、スピーカをさらに備え、表示装置から音声信号を受信すると、その音声信号に基づく音を、該スピーカから出力させることを特徴とする請求項３に記載のテレビ会議システム。
【請求項５】
前記表示装置は、予め通信可能に接続されている全ての携帯端末装置に対して動画撮影機能の有無を問い合わせる問合せ信号を送信し、該問合せ信号に対する各携帯端末装置からの応答信号に基づいて、動画撮影機能を有する携帯端末装置を会議用携帯端末装置として決定することを特徴とする請求項１に記載のテレビ会議システム。
【発明の詳細な説明】
【技術分野】
【０００１】
本発明は、テレビ会議システムに関する。
【背景技術】
【０００２】
従来技術に係るテレビ会議システムが、たとえば特許文献１に開示されている。特許文献１に開示されているように、従来技術に係るテレビ会議システムは、テレビ会議を行う拠点ごとに、互いに通信可能に接続され、動画撮影可能な撮影装置をそれぞれ備える主端末装置が設置されて構成されている。
【先行技術文献】
【特許文献】
【０００３】
【特許文献１】特開２００４−４８５５１号公報
【発明の概要】
【発明が解決しようとする課題】
【０００４】
上記のように、従来技術に係るテレビ会議システムでは、動画撮影可能な撮影装置を備える専用の主端末装置を、テレビ会議を行う拠点ごとに設置しなければ、テレビ会議を行うことができないという問題がある。
【０００５】
本発明の目的は、空間的に離間した複数の拠点間でテレビ会議を行う場合に、各拠点に設置され、通信ネットワークを介して互いに通信可能に接続される主端末装置に、動画撮影機能が搭載されていない場合であっても、テレビ会議を容易に実現することができるテレビ会議システムを提供することである。
【課題を解決するための手段】
【０００６】
本発明は、それぞれ画像を表示可能な表示部を備え、通信ネットワークを介して互いに通信可能に接続される複数の表示装置と、
動画撮影可能な撮影装置を備え、前記複数の表示装置のうちのいずれか１つの表示装置と通信可能に接続されて、前記撮影装置によって撮影された動画の動画信号を該表示装置へ送信する会議用携帯端末装置とを含み、
前記会議用携帯端末装置が接続された表示装置は、該会議用携帯端末装置から動画信号を受信すると、受信した動画信号を、通信ネットワークを介して他の表示装置へ送信し、
各表示装置は、自装置と異なる表示装置から送信された動画信号を受信すると、その動画信号に基づく動画を、自装置の表示部に表示させることを特徴とするテレビ会議システムである。
【０００７】
また本発明は、前記会議用携帯端末装置が接続された表示装置は、自装置と異なる表示装置から送信された動画信号を受信すると、該動画信号に基づく動画を自装置の表示部に表示させることに代えて、該動画信号を該会議用携帯端末装置へ送信し、
前記会議用携帯端末装置は、画像を表示可能な表示部をさらに備え、表示装置から動画信号を受信すると、その動画信号に基づく動画を、該表示部に表示させることを特徴とする。
【０００８】
また本発明は、前記複数の表示装置は、スピーカをそれぞれ備え、
前記会議用携帯端末装置は、マイクロホンをさらに備え、該マイクロホンによって取得された音声信号を、通信可能に接続された表示装置へ送信し、
前記会議用携帯端末装置が接続された表示装置は、該会議用携帯端末装置から音声信号を受信すると、受信した音声信号を、通信ネットワークを介して他の表示装置へ送信し、
各表示装置は、自装置と異なる表示装置から送信された音声信号を受信すると、その音声信号に基づく音を、自装置のスピーカから出力させることを特徴とする。
【０００９】
また本発明は、前記会議用携帯端末装置が接続された表示装置は、自装置と異なる表示装置から送信された音声信号を受信すると、該音声信号に基づく音を自装置のスピーカから出力させることに代えて、該音声信号を該会議用携帯端末装置へ送信し、
前記会議用携帯端末装置は、スピーカをさらに備え、表示装置から音声信号を受信すると、その音声信号に基づく音を、該スピーカから出力させることを特徴とする。
【００１０】
また本発明は、前記表示装置は、予め通信可能に接続されている全ての携帯端末装置に対して動画撮影機能の有無を問い合わせる問合せ信号を送信し、該問合せ信号に対する各携帯端末装置からの応答信号に基づいて、動画撮影機能を有する携帯端末装置を会議用携帯端末装置として決定することを特徴とする。
【発明の効果】
【００１１】
本発明によれば、空間的に離間した複数の拠点間でテレビ会議を行う場合に、各拠点に設置され、通信ネットワークを介して互いに通信可能に接続される主端末装置に、動画撮影機能が搭載されていない場合であっても、動画撮影機能を備えた携帯端末装置を利用することで、テレビ会議を容易に実現することができる。
【図面の簡単な説明】
【００１２】
【図１】本発明の一実施形態に係るテレビ会議システム１の構成の一例を概略的に示す図である。
【図２】本実施形態に係るテレビ会議システム１における主端末装置１０の構成の一例を示すブロック図である。
【図３】本実施形態に係るテレビ会議システム１における携帯端末装置２０の構成の一例を示すブロック図である。
【図４】本実施形態に係るテレビ会議システム１における携帯端末装置２０の動作手順を示すフローチャートである。
【図５】本実施形態に係るテレビ会議システム１における主端末装置１０の動作手順を示すフローチャートである。
【発明を実施するための形態】
【００１３】
図１は、本発明の一実施形態に係るテレビ会議システム１の構成の一例を概略的に示す図である。本実施形態に係るテレビ会議システム１は、動画撮影機能および音声入出力機能を備えた携帯端末装置２０を利用して、複数の拠点間でのテレビ会議を実現するように構築されたシステムである。
【００１４】
図１では、２つの拠点Ａ，Ｂ間でテレビ会議を行う場合を例に挙げて示しており、一方の拠点Ａでは参加者ａ１，ａ２がテレビ会議に参加し、他方の拠点Ｂでは参加者ｂ１，ｂ２がテレビ会議に参加しているものとする。なお、本実施形態に係るテレビ会議システム１は、２つの拠点Ａ，Ｂ間でのテレビ会議に限らず、３つ以上の拠点間でテレビ会議を行う場合にも適用可能である。
【００１５】
図１に示すように、テレビ会議システム１は、テレビ会議に参加する拠点Ａ，Ｂごとに設置され、画像を表示可能な表示部１１を備える主端末装置１０（表示装置）と、テレビ会議に参加する各参加者ａ１，ａ２，ｂ１，ｂ２によって所持される携帯端末装置２０とを含んで構成され、各拠点Ａ，Ｂに設置される主端末装置１０は、ＬＡＮ（Local Area Network）およびＷＡＮ（Wide Area Network）などの通信ネットワークを介して、双方向に通信可能に接続されている。
【００１６】
また、携帯端末装置２０は、その所持者が属している拠点に設置されている主端末装置１０と通信可能に接続されている。なお、主端末装置１０と携帯端末装置２０との通信の形態は、無線通信および有線通信のいずれであってもよく、本実施形態では、無線通信可能に接続されている。
【００１７】
なお、図１に示す例では、各参加者ａ１，ａ２によって所持されている携帯端末装置２０は、拠点Ａに設置されている主端末装置１０と無線通信可能に接続され、各参加者ｂ１，ｂ２によって所持されている携帯端末装置２０は、拠点Ｂに設置されている主端末装置１０と無線通信可能に接続されている。
【００１８】
図２は、本実施形態に係るテレビ会議システム１における主端末装置１０の構成の一例を示すブロック図である。なお、各拠点Ａ，Ｂに設置されている主端末装置１０はいずれも、図２に示す各要素１１〜１６を備えて構成されているものとする。
【００１９】
主端末装置１０は、図２に示すように、表示部１１と、操作部１２と、通信部１３と、無線部１４と、映像音声処理部１５と、制御部１６とを含んで構成されている。
【００２０】
表示部１１は、画像データに応じた画像を表示面に表示する機能を有し、たとえば液晶パネルおよびバックライトを備える液晶ディスプレイ装置や、有機ＥＬ（Electro-Luminescence）ディスプレイ装置などの公知の表示装置によって実現される。
【００２１】
操作部１２は、主端末装置１０に対して外部から動作指示などを入力するための操作を受け付ける機能を有し、たとえば表示部１１における画像の表示面に対するタッチ操作を検出可能なタッチセンサによって実現される。
【００２２】
通信部１３は、他の拠点に設置された主端末装置１０に搭載される通信部１３との間で、画像データや音声データなどのデータを双方向に通信するための通信インタフェースとして機能する。
【００２３】
無線部１４は、携帯端末装置２０に搭載される無線部１４との間で、動画データや音声データなどのデータを、たとえばＩＥＥＥ８０２．１１ｘ規格などの無線通信規格に準拠して、双方向に無線通信するための通信インタフェースとして機能する。
【００２４】
映像音声処理部１５は、無線部１４を介して携帯端末装置２０から音声データおよび動画データを受信すると、受信した音声データおよび動画データを、通信部１３を介して、他の拠点に設置されている主端末装置１０へ送信するとともに、受信した動画データに基づく動画を、自装置の表示部１１に表示させる。
【００２５】
また映像音声処理部１５は、通信部１３を介して、他の拠点に設置されている主端末装置１０から音声データおよび動画データを受信すると、受信した動画データに基づく動画を、自装置の表示部１１に表示させるとともに、受信した音声データを、無線部１４を介して、自装置に無線通信可能に接続されている携帯端末装置２０へ送信する。
【００２６】
制御部１６は、たとえばＣＰＵ（Central Processing Unit）によって実現され、図示しない半導体メモリやハードディスクなどの記憶装置に記憶されているプログラムに従って、主端末装置１０における各部の動作を制御する。
【００２７】
図３は、本実施形態に係るテレビ会議システム１における携帯端末装置２０の構成の一例を示すブロック図である。なお、各参加者ａ１，ａ２，ｂ１，ｂ２によって所持される携帯端末装置２０はいずれも、図３に示す各要素２１〜２８を備えて構成されているものとする。
【００２８】
携帯端末装置２０は、図３に示すように、表示部２１と、操作部２２と、無線部２３と、カメラ２４（撮影装置）と、マイクロホン（略称「マイク」）２５と、スピーカ２６と、映像音声処理部２７と、制御部２８とを含んで構成され、たとえばスマートフォンやタブレットＰＣ（Personal Computer）などによって実現される。
【００２９】
表示部２１は、画像データに応じた画像を表示面に表示する機能を有し、たとえば液晶パネルおよびバックライトを備える液晶ディスプレイ装置や、有機ＥＬディスプレイ装置などの公知の表示装置によって実現される。
【００３０】
操作部２２は、携帯端末装置２０に対して外部から動作指示などを入力するための操作を受け付ける機能を有し、たとえば表示部２１における画像の表示面に対するタッチ操作を検出可能なタッチセンサや操作キーによって実現される。
【００３１】
無線部２３は、主端末装置１０に搭載される無線部１４との間で、動画データや音声データなどのデータを、たとえばＩＥＥＥ８０２．１１ｘ規格などの無線通信規格に準拠して、双方向に無線通信するための通信インタフェースとして機能する。
【００３２】
カメラ２４は、レンズを通した映像を、ＣＣＤ（Charge Coupled Device）撮像板などの固体撮像素子に結像させ、それを電気信号に変換し、動画データとして出力する機能を有する。
【００３３】
マイク２５は、音声などの音を電気信号に変換し、音声データとして出力する機能を有し、スピーカ２６は、音声データが入力されると、電気信号を物理振動に変えて音声データに基づく音を出力する機能を有する。
【００３４】
映像音声処理部２７は、カメラ２４から出力された動画データを、無線部２３を介して、自装置と無線通信可能に接続している主端末装置１０へ送信し、マイク２５から出力された音声データを、無線部２３を介して、自装置と無線通信可能に接続している主端末装置１０へ送信する。
【００３５】
また映像音声処理部２７は、無線部２３を介して、主端末装置１０から音声データを受信すると、受信した音声データに基づく音を、スピーカ２６から出力させる。
【００３６】
制御部２８は、たとえばＣＰＵによって実現され、図示しない半導体メモリなどの記憶装置に記憶されているプログラムに従って、携帯端末装置２０における各部の動作を制御する。
【００３７】
以下、図１、図４および図５を参照して、本実施形態に係るテレビ会議システム１における携帯端末装置２０および主端末装置１０の動作について説明する。図４は、本実施形態に係るテレビ会議システム１における携帯端末装置２０の動作手順を示すフローチャートである。
【００３８】
テレビ会議の参加者によって、携帯端末装置２０に電源が投入されると、処理が開始されてステップｍ１に進む。ステップｍ１で、制御部２８は、主端末装置１０との間で無線通信可能に接続するための動作指令を、操作部２２を介して受け付けると、無線部２３を介して、主端末装置１０との接続処理を実行する。この接続処理によって、主端末装置１０との接続が確立されると、携帯端末装置２０と主端末装置１０とは無線通信可能な状態となる。このように、主端末装置１０との接続が確立されると、ステップｍ２に進む。
【００３９】
ステップｍ２で、制御部２８は、カメラ２４を作動させて動画撮影を開始させるとともに、マイク２５を作動させる。そして、制御部２８は、カメラ２４から出力される動画データおよびマイク２５から出力される音声データを、無線部２３を介して、ステップｍ１で接続を確立した主端末装置１０へ送信し、ステップｍ３に進む。なお、カメラ２４およびマイク２５は作動後、継続して動作し、携帯端末装置２０から主端末装置１０への動画データおよび音声データの送信は、携帯端末装置２０と主端末装置１０との接続が切断されるまで継続して行われる。
【００４０】
ステップｍ３で、制御部２８は、ステップｍ１で接続を確立した主端末装置１０から、無線部２３を介して音声データを受信すると、スピーカ２６を作動させて、受信した音声データに基づく音を出力し、ステップｍ４に進む。
【００４１】
ステップｍ４で、制御部２８は、ステップｍ１で接続を確立した主端末装置１０との接続を切断するための動作指令を、操作部２２を介して受け付けたか否かを判定し、受け付けていない場合には、ステップｍ２に戻り、受け付けた場合には、主端末装置１０との接続を切断する処理を実行する。
【００４２】
図５は、本実施形態に係るテレビ会議システム１における主端末装置１０の動作手順を示すフローチャートである。主端末装置１０に電源が投入されると、処理が開始されてステップｎ１に進む。ステップｎ１で、制御部１６は、他の拠点に設置されている主端末装置１０との間で通信可能に接続するための動作指令を、操作部１２を介して受け付けると、通信部１３を介して、他の拠点に設置されている主端末装置１０との接続処理を実行する。この接続処理によって、他の拠点に設置されている主端末装置１０との接続が確立されると、これらの主端末装置１０同士は通信可能な状態となる。このように、他の拠点に設置されている主端末装置１０との接続が確立されると、ステップｎ２に進む。
【００４３】
ステップｎ２で、制御部１６は、無線部１４を介して、携帯端末装置２０から接続要求を受け付けると、該接続要求に応答して、その携帯端末装置２０との接続状態を確立させ、ステップｎ３に進む。
【００４４】
ステップｎ３で、制御部１６は、ステップｎ２で接続を確立した携帯端末装置２０から、無線部１４を介して動画データおよび音声データを受信すると、受信した動画データおよび音声データを、通信部１３を介して、ステップｎ１で接続を確立した他の拠点に設置されている主端末装置１０へ送信し、ステップｎ４に進む。
【００４５】
ステップｎ４で、制御部１６は、ステップｎ１で接続を確立した他の拠点に設置されている主端末装置１０から、通信部１３を介して動画データおよび音声データを受信すると、受信した音声データを、無線部１４を介して、ステップｎ２で接続を確立した携帯端末装置２０へ送信し、ステップｎ５に進む。
【００４６】
ステップｎ５で、制御部１６は、携帯端末装置２０から受信した動画データ、および他の拠点に設置されている主端末装置１０から受信した動画データを、表示部１１に表示させ、ステップｎ６に進む。
【００４７】
ステップｎ６で、制御部１６は、ステップｎ１で接続を確立した他の拠点に設置されている主端末装置１０との接続を切断するための動作指令を、操作部１２を介して受け付けたか否かを判定し、受け付けていない場合には、ステップｎ３に戻り、受け付けた場合には、主端末装置１０との接続を切断する処理を実行する。
【００４８】
図１に示す例を用いて、本実施形態に係るテレビ会議システム１について具体的に説明すると、拠点Ａに設置されている主端末装置１０と、拠点Ｂに設置されている主端末装置１０との接続が確立されるとともに、拠点Ａにおいて、会議の参加者ａ１，ａ２によって所持されている各携帯端末装置２０と主端末装置１０との接続が確立され、拠点Ｂにおいて、会議の参加者ｂ１，ｂ２によって所持されている各携帯端末装置２０と主端末装置１０との接続が確立されることによって、テレビ会議を開始できる状態となる。
【００４９】
そして、拠点Ａに設置されている主端末装置１０は、参加者ａ１，ａ２の携帯端末装置２０から受け取った動画データおよび音声データを、拠点Ａの動画データおよび音声データとして、拠点Ｂに設置されている主端末装置１０へ送信し、逆に、拠点Ｂに設置されている主端末装置１０は、参加者ｂ１，ｂ２の携帯端末装置２０から受け取った動画データおよび音声データを、拠点Ｂの動画データおよび音声データとして、拠点Ａに設置されている主端末装置１０へ送信する。
【００５０】
また、拠点Ａに設置されている主端末装置１０は、受信した拠点Ｂの音声データを、参加者ａ１，ａ２の携帯端末装置２０へ送信する。これにより、拠点Ｂの音声データに基づく音が、参加者ａ１，ａ２の携帯端末装置２０から出力される。さらに、拠点Ａに設置されている主端末装置１０は、参加者ａ１，ａ２の携帯端末装置２０から受け取った動画データに基づく動画、および受信した拠点Ｂの動画データに基づく動画を、自装置の表示部１１に表示させる。各参加者ａ１，ａ２，ｂ１，ｂ２がそれぞれ、自身が所持している携帯端末装置２０に搭載されるカメラ２４を用いて自身を撮影することによって、その表示部１１には、各参加者ａ１，ａ２，ｂ１，ｂ２の様子が映し出される。
【００５１】
同様に、拠点Ｂに設置されている主端末装置１０は、受信した拠点Ａの音声データを、参加者ｂ１，ｂ２の携帯端末装置２０へ送信する。これにより、拠点Ａの音声データに基づく音が、参加者ｂ１，ｂ２の携帯端末装置２０から出力される。さらに、拠点Ｂに設置されている主端末装置１０は、参加者ｂ１，ｂ２の携帯端末装置２０から受け取った動画データに基づく動画、および受信した拠点Ａの動画データに基づく動画を、自装置の表示部１１に表示させる。各参加者ａ１，ａ２，ｂ１，ｂ２がそれぞれ、自身が所持している携帯端末装置２０に搭載されるカメラ２４を用いて自身を撮影することによって、その表示部１１には、各参加者ａ１，ａ２，ｂ１，ｂ２の様子が映し出される。
【００５２】
これにより、各参加者ａ１，ａ２，ｂ１，ｂ２は、自身が属する拠点とは異なる拠点に属する参加者の様子を、主端末装置１０の表示部１１に映し出される映像によって確認しつつ、その異なる拠点に属する参加者とコミュニケーションをとることができる。
【００５３】
以上のように、本実施形態によれば、主端末装置１０に、動画撮影機能、音声入力機能および音声出力機能が搭載されていない場合であっても、テレビ会議を実現することができる。
【００５４】
また、従来のテレビ会議では、各拠点において、会議の参加者全員を１台の撮影装置で撮影するために、事前に撮影装置のアングル調整を行う必要があったが、本実施形態によれば、会議の参加者が個別に携帯端末装置２０を所持し、各参加者が、自身の携帯端末装置２０に搭載されているカメラ２４を利用して自身を撮影することによって、テレビ会議が実現されるので、アングル調整などの手間を省くことができる。
【００５５】
なお、本実施形態では、一の拠点における各参加者の携帯端末装置２０によって撮影された動画が、他の拠点に設置された主端末装置１０の表示部１１に映し出されるように構成されているが、他の実施形態では、一の拠点における各参加者の携帯端末装置２０によって撮影された動画が、他の拠点における各参加者の携帯端末装置２０の表示部２１に映し出されるように構成されてもよい。この場合、他の拠点に設置された主端末装置１０では、一の拠点に設置された主端末装置１０から動画データおよび音声データを受信すると、受信した動画データおよび音声データの両方が、自装置と無線通信可能に接続されている携帯端末装置２０に対して送信される。このように、携帯端末装置２０の表示部２１に他の参加者の映像を映し出すことで、たとえば表示部２１とカメラ２４とが近接して配置されている携帯端末装置２０を用いた場合に、表示部２１に映し出される他の参加者との視線のずれを低減することができ、自然な会議を実現することができる。
【００５６】
また、他の実施形態として、主端末装置１０が音声出力機能を備えている場合には、他の拠点に設置された主端末装置１０から受信した音声データを、携帯端末装置２０へ送信せずに、自装置に搭載された音声出力装置から出力するように構成することも可能である。
【００５７】
また、本実施形態では、会議の参加者が、自身の所持している携帯端末装置２０を操作することで、携帯端末装置２０と主端末装置１０との接続を確立するように構成されているが、他の実施形態では、主端末装置１０が、テレビ会議で使用するのに適した携帯端末装置２０を探索して、その携帯端末装置２０との接続を確立するように構成されてもよい。
【００５８】
具体的には、主端末装置１０は、自装置と予め通信可能な状態とされている各携帯端末装置に対して、動画撮影機能の有無を問い合わせる問合せ信号をブロードキャストで送信し、その問合せ信号に対する各携帯端末装置からの応答信号に基づいて、動画撮影機能を有する一の携帯端末装置を、テレビ会議で使用するのに適した携帯端末装置２０として決定し、その携帯端末装置２０との接続を確立する。これにより、参加者は、複雑な操作や設定作業を行うことなく、自身の所持している携帯端末装置２０を用いて、テレビ会議を行うことができる。なお、動画撮影機能の有無だけでなく、音声入力機能および音声出力機能の有無を併せて問い合わせることによって、テレビ会議で使用するのに適した携帯端末装置２０を決定してもよい。
【符号の説明】
【００５９】
１  テレビ会議システム
１０  主端末装置
１１  表示部
１２  操作部
１３  通信部
１４  無線部
１５  映像音声処理部
１６  制御部
２０  携帯端末装置
２１  表示部
２２  操作部
２３  無線部
２４  カメラ
２５  マイク
２６  スピーカ
２７  映像音声処理部
２８  制御部
【図１】
2014135617.tif 000003
【図２】
2014135617.tif 000004
【図３】
2014135617.tif 000005
【図４】
2014135617.tif 000006
【図５】
2014135617.tif 000007